(57)【特許請求の範囲】
【請求項１】
内部にスクイズ規制筒を配設し、胴部にスクイズ規制筒に対応する押圧部を設けた液注出容器であって、
押圧部が、先端がスクイズ規制筒近くの所定の位置まで延び、上下に傾斜面を有し、上下方向に一定巾をもって延びる突出部と、前記突出部基部に設けた指先が入る平坦な凹部とからなり、
突出部の下側傾斜面が、胴部の垂直面に対する傾斜角度を上側傾斜面より小さくしていることを特徴とする液注出容器。
【請求項２】
内部にスクイズ規制筒を配設し、胴部にスクイズ規制筒に対応する押圧部を設けた液注出容器であって、
押圧部が、上下方向に三角形状に配置された上部の傾斜壁面と下部の傾斜壁面、および垂直な二つの側壁とからなる突起であり、
下方の傾斜壁面が、胴部の垂直面に対する傾斜角度を小さくしていることを特徴とする液注出容器。
【請求項３】
内部にスクイズ規制筒を配設し、胴部にスクイズ規制筒に対応する押圧部を設けた液注出容器であって、
押圧部が山型に隆起するよう形成された突起であり、隆起面の下側が、胴部の垂直面に対して傾斜角度を小さくし、なだらかにされていることを特徴とする液注出容器。
【請求項４】
容器が二軸延伸ブロー成形されていることを特徴とする請求項１〜３記載の液注出容器。
【発明の詳細な説明】
【０００１】
【発明の属する技術分野】
本発明は、注出量が一定になるよう規制したスクイズタイプの液注出容器に関する。
【０００２】
【従来の技術】
胴部の押圧により、内容液を注出するスクイズタイプの液注出容器において、注出量が一定になるよう規制するため、容器内部にスクイズ規制部材を配設し、スクイズ規制部材に対応する押圧部を胴部に設け、該押圧部をほぼ円形の凹部とした容器は、従来より知られている（例えば特開平８−３１８９６４号参照）。
【０００３】
【発明が解決しようとする課題】
従来の容器において、注出量を少量とするため、スクイズ規制部材と胴部の凹部の間の距離を短くし、押圧部を凹部に変え山高の突起状の突出部とすることが提案されている。
【０００４】
しかしながら、山高の突起とすると、突出部壁面の胴部垂直面に対する傾斜が大きくなり、二軸延伸ブロー成形にあたっては、突出部の下側では、プリフォームの樹脂が廻りきらずに垂れ下がり、賦形性がよくないという問題が生じるようになった。
また、突出部の傾斜が大きいと、突出部裏面の穴部の面積が小さくなり、指先が穴部に引っかかり、フィット感がないという問題があった。
【０００５】
本発明は、上記の問題を解決することを課題とし、スクイズ規制部材と突出部の間の距離を短くするために突出部を山高の突起とするとともに、突起基部に指先が入る平坦な凹部を設けて指先のフィット感を高めるようにし、さらにまた、ブロー成形にあたって、突起の成形性を向上させるようにした液注出容器を提供することを目的とする。
【０００６】
【課題を解決するための手段】
本発明は、上記の課題を解決するため、液注出容器として、内部にスクイズ規制筒を配設し、胴部にスクイズ規制筒に対応する押圧部を設けた液注出容器であって、押圧部が、先端がスクイズ規制筒近くの所定の位置まで延び、上下に傾斜面を有し、上下方向に一定巾をもって延びる突出部と、前記突出部基部に設けた指先が入る平坦な凹部とからなり、突出部の下側傾斜面が、胴部の垂直面に対する傾斜角度を上側傾斜面より小さくしていることを特徴とする構成を採用する。
【０００７】
押圧部の実施形態として、内部にスクイズ規制筒を配設し、胴部にスクイズ規制筒に対応する押圧部を設けた液注出容器であって、押圧部が、上下方向に三角形状に配置された上部の傾斜壁面と下部の傾斜壁面、および垂直な二つの側壁とからなる突起であり、下方の傾斜壁面が、胴部の垂直面に対する傾斜角度を小さくしていることを特徴とする構成を採用する。
【０００８】
また、押圧部の別実施形態として、内部にスクイズ規制筒を配設し、胴部にスクイズ規制筒に対応する押圧部を設けた液注出容器であって、押圧部が山型に隆起するよう形成された突起であり、隆起面の下側が、胴部の垂直面に対して傾斜角度を小さくし、なだらかにされていることを特徴とする構成を採用する。
【０００９】
さらに、容器が二軸延伸ブロー成形されている場合には、突起の形状を上記のように構成することによって賦形性をよくすることができる。
【００１０】
【発明の実施の形態】
次に、本発明の実施形態について、図面を参照して説明する。
図１，２において、Ａは容器、Ｂは中栓、Ｂ１は中栓Ｂに設けられたスクイズ規制筒、Ｃはキャップである。
容器Ａ、中栓Ｂ、キャップＣは、いずれも合成樹脂を素材としており、容器Ａは、プリフォームを用いた二軸延伸ブローによって成形されている。
【００１１】
容器Ａは、口部１と肩部２、胴部３と底部４とからなり、口部１の外周にはねじ５が螺設され、その下方にネックリング６が設けられている。
胴部３は、横断面が扁平状であり、前後面３ａ，３ｂには、胴部３の中心線上でスクイズ規制筒Ｂ１に対応する位置に、内方に突出する突起７が設けられている。
【００１２】
図３に示すように、突起７は、上下方向にはほぼ三角形で頂点が高く隆起するように形成され、断面円弧状の頂壁８と二つの側壁９とからなっている。
頂壁８の稜線は、前記三角形の角部を円弧とした上部辺と下部辺とを形成しており、頂壁８は、上部の傾斜壁面８ａと下部の傾斜壁面８ｂとからなっている。
上部の傾斜壁面８ａは、水平に近くなっており、下部の傾斜壁面８ｂは、胴部の垂直面に対して、傾斜角度αが小さく、胴部表面になだらかに続いている。
【００１３】
二つの側壁９の間は、スリット９ａとなっており、突起７の基部の胴部表面には、円形の平坦な凹部１０が形成され、指先は、スリット９ａに引っかかることなく凹部１０の底面に接触し、フィットするようになっている。
凹部１０の外形は、円形に限らず、指先がフィットする大きさであれば、楕円形、角形であってもよよく、その形状は限定されない。
【００１４】
図２に示すように、中栓Ｂは、頂壁２０と、口部１内周に嵌着される側周壁２１とを具えており、頂壁２０の中央には、注出孔２２を穿孔した注出筒２３が立設され、頂壁２０の周縁は、側周壁２１よりフランジ状に突出している。
側周壁２１の下端から、一対の支持杆２４が垂設されており、その下端には、スクイズ規制筒Ｂ１が連設されている。
【００１５】
図２に示すように、キャップＣは、頂壁３０と側周壁３１とからなり、頂壁３０には、中央に段差が設けられ、その下面には、注出孔２２を密封する栓体３２が垂設されている。
側周壁３１の下方は拡径され、その内周には、口部１のねじ５に螺合するねじ３３が螺設されている。
【００１６】
次に、本発明液注出容器の使用態様と作用効果について説明する。
使用にあたって、キャップＣを取り外し、図４に示すように、口部１を注出方向に向けて容器Ａを傾け、胴部３中央に設けた凹部１０に指先を当て、前後面３ａ，３ｂを押圧すると、突起７の先端がスクイズ規制筒Ｂ１に衝接し、胴部３のスクイズ量が規制され、常に一定量の内容液を注出することができる。
その際、指先は、スリット９ａに引っかかることなく円形状の平坦な凹部１０にフィットすることにより、押圧位置が常に一定となり、胴部の変形が一定となるので、常に一定量の液を注出することができる。
【００１７】
突起７の形状は、下部の傾斜壁面８ｂがなだらかに傾斜しているので、ブロー成形、とくに二軸延伸ブロー成形にあたって、パリソンの樹脂が突起７の下側にも充分にまわって、下側の部分の樹脂が垂れ下がることがなく、賦形性がよい。
【００１８】
前記実施形態では、突起の形状は縦断面を三角形状とし、横断面を円弧状壁と側壁とから形成したが、突起の形状を山型突起とし、その頂点を上方に偏寄させ、下側の傾斜面の傾斜をなだらかにした突起としてもよい。
その場合、突起基部の大きさに応じて、突起の基部に指先が突起に引っかからないような平坦な凹部を設けるか、またはなだらかな裾部とすると、前記実施形態と同様の作用効果を得ることができる。
【００１９】
【発明の効果】
本発明は、上記のように構成されているから、次の効果を奏する。
スクイズ規制筒と胴部に設けた突起先端との距離を短くすることによって、少量の内容物を一定量注出することができるようになった。
【００２０】
突起基部に指先が入る平坦な円形の凹部を設けた場合には、胴部押圧にあたってのフィット感を付与するとともに、押圧場所を一定にすることにより胴部の変形を一定とし、常に定量の内容液を注出できる。
【００２１】
また、突起の下側の傾斜壁面の傾斜角度を小さくしたので、ブロー成形時の賦形性がよくなった。
【図面の簡単な説明】
【図１】本発明の液注出容器の一部断面側面図である。
【図２】キャップを取り外した分解図である。
【図３】押圧部の説明図で、（ａ）はスクイズ規制筒と突起の関係を示す横断面図、（ｂ）は押圧部の正面図、（ｃ）は縦断面図である。
【図４】  液注出時の状態を示す説明図である。
【符号の説明】
Ａ          容器
Ｂ          中栓
Ｂ１        スクイズ規制筒
Ｃ          キャップ
１          口部
３          胴部
７          突起
８          頂壁
９          側壁
１０        凹部
２０        頂壁
２１        側周壁
２２        注出孔
２４        支持杆
３０        頂壁
３１        側周壁
３２        栓体
【図１】
0003819225.tif 000002
【図２】
0003819225.tif 000003
【図３】
0003819225.tif 000004
【図４】
0003819225.tif 000005